(57)【要約】【課題】アプリケーションで実現できる機能をユーザが容易に把握することができる。【解決手段】情報処理装置１００は、コンテンツに対応付けられたサムネイルの一覧画面を表示する表示制御部１５２と、サムネイルに対応付けられたコンテンツを利用する任意のアプリケーションを実行する実行部１５４と、実行部１５４によるアプリケーションの実行状態を表す実行状態画像を生成する画像生成部１５６と、を備え、表示制御部１５２は、画像生成部１５６により生成された実行状態画像を一覧画面が表示されている領域の少なくとも一部に表示する。【選択図】図２
2010128756.tif 000002
【特許請求の範囲】
【請求項１】
コンテンツに対応付けられたサムネイルの一覧画面を表示する表示制御部と、
前記サムネイルに対応付けられたコンテンツを利用する任意のアプリケーションを実行する実行部と、
前記実行部によるアプリケーションの実行状態を表す実行状態画像を生成する画像生成部と、
を備え、
前記表示制御部は、前記画像生成部により生成された前記実行状態画像を前記一覧画面が表示されている領域の少なくとも一部に表示する、情報処理装置。
【請求項２】
前記画像生成部により生成された前記実行状態画像は、前記アプリケーションの機能を擬似的に再現する画像である、請求項１に記載の情報処理装置。
【請求項３】
前記実行部により実行される前記アプリケーションは、前記実行状態画像が表示される領域の前記サムネイルに対応付けられたコンテンツを利用する、請求項１または２のいずれかに記載の情報処理装置。
【請求項４】
前記実行部により実行される前記アプリケーションは、前記実行状態画像が表示される領域の周辺の前記サムネイルに対応付けられたコンテンツを利用する、請求項１または２のいずれかに記載の情報処理装置。
【請求項５】
前記実行部により実行される前記アプリケーションは、前記サムネイルに対応付けられたコンテンツのカテゴリに基づく機能を有している、請求項１〜４のいずれかに記載の情報処理装置。
【請求項６】
前記実行部により実行される前記アプリケーションは、前記サムネイルに対応付けられたコンテンツの内容に応じた機能を有するアプリケーションである、請求項１〜５のいずれかに記載の情報処理装置。
【請求項７】
前記実行部により実行される前記アプリケーションは、前記一覧画面に表示されているサムネイルのうち、顔領域が含まれる前記サムネイルに対応付けられた写真コンテンツを利用する、請求項１〜６のいずれかに記載の情報処理装置。
【請求項８】
前記実行部により実行される前記アプリケーションは、前記一覧画面に表示されている前記サムネイルのうち、所定数の前記サムネイルに対応付けられたコンテンツを利用する、請求項１〜７のいずれかに記載の情報処理装置。
【請求項９】
コンテンツが対応付けられた複数の画像を所定の表示領域に一覧表示する表示制御部と、
前記画像に対応付けられたコンテンツを利用する任意のアプリケーションを実行する実行部と、
前記実行部によるアプリケーションの実行状態を再現する再現部と、
を備え、
前記再現部は、前記所定の表示領域の少なくとも一部を利用して、前記アプリケーションの実行状態を再現する、情報処理装置。
【請求項１０】
前記再現部は、前記画像に対応付けられた画像コンテンツまたは動画コンテンツを利用する動画像再生処理を再現する、請求項９に記載の情報処理装置。
【請求項１１】
前記再現部は、前記画像に対応付けられた音楽コンテンツを利用する曲再生処理を再現する、請求項９に記載の情報処理装置。
【請求項１２】
前記再現部は、前記アプリケーションの実行状態を再現するための表示領域に表示されていた画像に対応付けられるコンテンツを利用してアプリケーションの実行状態を再現する、請求項９に記載の情報処理装置。
【請求項１３】
前記再現部は、前記実行部により前記アプリケーションを実行させることで、前記所定の表示領域の少なくとも一部を利用して、前記アプリケーションの実行状態を再現する、請求項９に記載の情報処理装置。
【請求項１４】
コンテンツに対応付けられたサムネイルの一覧画面を表示するステップと、
前記サムネイルに対応付けられたコンテンツを利用する任意のアプリケーションを実行するステップと、
前記アプリケーションの実行状態を含む実行状態画像を生成するステップと、
前記生成された前記実行状態画像を前記一覧画面が表示されている領域の少なくとも一部に表示するステップと、
を含む、表示制御方法。
【請求項１５】
コンピュータを、
コンテンツに対応付けられたサムネイルの一覧画面を表示する表示制御部と、
前記サムネイルに対応付けられたコンテンツを利用する任意のアプリケーションを実行する実行部と、
前記実行部によるアプリケーションの実行状態を含む実行状態画像を生成する画像生成部と、
を備え、
前記表示制御部は、前記画像生成部により生成された前記実行状態画像を前記一覧画面が表示されている領域の少なくとも一部に表示する、情報処理装置として機能させるためのプログラム。
【発明の詳細な説明】
【技術分野】
【０００１】
本発明は、情報処理装置、表示制御方法およびプログラムに関し、特に、複数のコンテンツのサムネイルの一覧を表示可能な情報処理装置、表示制御方法およびプログラムに関する。
【背景技術】
【０００２】
近年、一般のユーザが利用するＰＣ（Ｐｅｒｓｏｎａｌ  Ｃｏｍｐｕｔｅｒ）などの情報処理装置の記憶容量が格段に増加した結果、写真や映像、音楽など様々なカテゴリにわたる多量のコンテンツがユーザにより管理されるようになってきている。ユーザは、各コンテンツに適したアプリケーションを起動して、写真の表示や加工をしたり、映像や音楽を再生したりする。
【０００３】
例えば、下記非特許文献１に記載のアプリケーションは、コンテンツのカテゴリに応じてソフトウェアを分類し、コンテンツの再生や編集をするためのソフトウェアの選択を容易に行うことができる画面インターフェースをユーザに提供している。当該画面インターフェース上では、まず、ユーザにより写真、映像、音楽等のコンテンツのカテゴリのいずれかが選択される。その後、画面インターフェース上に、選択されたカテゴリに応じたソフトウェアと当該ソフトウェアの説明が表示される。ユーザは、表示されたソフトウェアの説明を読んで吟味することにより、目的に合ったソフトウェアを選択する。そして、情報処理装置は、ユーザにより選択されたソフトウェアを起動させる。
【０００４】
【非特許文献１】「ソニー製品情報｜ＶＡＩＯ｜ソフトウェア｜ＶＡＩＯナビ」、［online］、［平成２０年１０月１４日検索］、インターネット＜URL：http://www.vaio.sony.co.jp/Products/Solution/VAIOnavi/＞
【発明の開示】
【発明が解決しようとする課題】
【０００５】
しかし、ＰＣ内に多数のソフトウェアが存在する場合には、ユーザは、個々のソフトウェアの説明表示を逐一読まなければ目的のソフトウェアを探すことができない。そのため、各アプリケーションで実現できる機能をユーザが容易に把握することは困難であった。
そこで、本発明は、上記問題に鑑みてなされたものであり、本発明の目的とするところは、アプリケーションで実現できる機能をユーザが容易に把握することが可能な、新規かつ改良された情報処理装置、表示制御方法およびプログラムを提供することにある。
【課題を解決するための手段】
【０００６】
上記課題を解決するために、本発明のある観点によれば、コンテンツに対応付けられたサムネイルの一覧画面を表示する表示制御部と、サムネイルに対応付けられたコンテンツを利用する任意のアプリケーションを実行する実行部と、実行部によるアプリケーションの実行状態を表す実行状態画像を生成する画像生成部と、を備え、表示制御部は、画像生成部により生成された実行状態画像を一覧画面が表示されている領域の少なくとも一部に表示する、情報処理装置が提供される。
【０００７】
上記画像生成部により生成された実行状態画像は、アプリケーションの機能を擬似的に再現する画像である。
【０００８】
かかる構成によれば、表示制御部はコンテンツに対応付けられたサムネイルの一覧画面を表示し、実行部は、サムネイルに対応付けられたコンテンツを利用する任意のアプリケーションを実行する。画像生成部は、アプリケーションの実行状態を表す実行状態画像を生成し、表示制御部は、生成された実行状態画像を一覧画面が表示されている領域の少なくとも一部に表示する。
【０００９】
これにより、一覧表示されているサムネイルに対応付けられたコンテンツを利用して、任意のアプリケーションにより実現可能な機能を擬似的に再現することが可能となる。すなわち、任意のアプリケーションの実行状態を再現して、ユーザに当該アプリケーションの内容や使用方法について認識させることができる。ここで、ユーザに当該アプリケーションの内容や使用方法を認識させる表示を、以下、プロモーション表示とも称する。ユーザは、任意のアプリケーションに関するプロモーション表示により、アプリケーション毎にマニュアルや取扱説明書等を読まずとも、当該アプリケーションで実現できる機能やサービスの内容を容易に把握することが可能となる。
【００１０】
また、上記実行部により実行されるアプリケーションは、実行状態画像が表示される領域のサムネイルに対応付けられたコンテンツを利用してもよい。
【００１１】
また、上記実行部により実行されるアプリケーションは、実行状態画像が表示さ領域の周辺のサムネイルに対応付けられたコンテンツを利用してもよい。
【００１２】
また、上記実行部により実行されるアプリケーションは、サムネイルに対応付けられたコンテンツのカテゴリに基づく機能を有していてもよい。
【００１３】
また、上記実行部により実行されるアプリケーションは、サムネイルに対応付けられたコンテンツの内容に応じた機能を有するアプリケーションであってもよい。
【００１４】
また、上記実行部により実行されるアプリケーションは、一覧画面に表示されているコンテンツのサムネイルのうち、顔領域が含まれるサムネイルに対応付けられた写真コンテンツを利用してもよい。
【００１５】
また、上記実行部により実行されるアプリケーションは、一覧画面に表示されているサムネイルのうち、所定数のサムネイルに対応付けられたコンテンツを利用してもよい。
【００１６】
上記課題を解決するために、本発明の別の観点によれば、コンテンツが対応付けられた複数の画像を所定の表示領域に一覧表示する表示制御部と、画像に対応付けられたコンテンツを利用する任意のアプリケーションを実行する実行部と、実行部によるアプリケーションの実行状態を再現する再現部と、を備え、再現部は、所定の表示領域の少なくとも一部を利用して、アプリケーションの実行状態を再現する、情報処理装置が提供される。
【００１７】
また、再現部は、画像に対応付けられた画像コンテンツまたは動画コンテンツを利用する動画像再生処理を再現するようにしてもよい。
【００１８】
また、再現部は、画像対応付けられた音楽コンテンツを利用する曲再生処理を再現するようにしてもよい。
【００１９】
また、再現部は、アプリケーションの実行状態を再現するための表示領域に表示されていた画像に対応付けられるコンテンツを利用してアプリケーションの実行状態を再現するようにしてもよい。
【００２０】
また、再現部は、実行部によりアプリケーションを実行させることで、所定の表示領域の少なくとも一部を利用して、アプリケーションの実行状態を再現するようにしてもよい。  
【００２１】
上記課題を解決するために、本発明の別の観点によれば、コンテンツに対応付けられたサムネイルの一覧画面を表示するステップと、サムネイルに対応付けられたコンテンツを利用する任意のアプリケーションを実行するステップと、アプリケーションの実行状態を含む実行状態画像を生成するステップと、生成された実行状態画像を一覧画面が表示されている領域の少なくとも一部に表示するステップと、を含む、表示制御方法が提供される。
【００２２】
上記課題を解決するために、本発明の別の観点によれば、コンピュータを、コンテンツに対応付けられたサムネイルの一覧画面を表示する表示制御部と、サムネイルに対応付けられたコンテンツを利用する任意のアプリケーションを実行する実行部と、実行部によるアプリケーションの実行状態を含む実行状態画像を生成する画像生成部と、を備え、表示制御部は、画像生成部により生成された実行状態画像を一覧画面が表示されている領域の少なくとも一部に表示する、情報処理装置として機能させるためのプログラムが提供される。
【発明の効果】
【００２３】
以上説明したように本発明によれば、アプリケーションで実現できる機能をユーザが容易に把握することができる。
【発明を実施するための最良の形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
また、以下に示す順序に従って、当該「発明を実施するための最良の形態」を説明する。
〔１〕本実施形態の目的
〔２〕情報処理装置のハードウェア構成
〔３〕情報処理装置の機能構成
〔４〕表示制御処理の流れ
【００２６】
〔１〕本実施形態の目的
まず、本発明の実施形態の目的について説明する。近年、一般のユーザが利用するＰＣ（Ｐｅｒｓｏｎａｌ  Ｃｏｍｐｕｔｅｒ）などの情報処理装置の記憶容量が格段に増加した結果、写真や映像、音楽など様々なカテゴリにわたる多量のコンテンツがユーザにより管理されるようになってきている。ユーザは、各コンテンツに適したアプリケーションを起動して、写真の表示や加工をしたり、映像や音楽を再生したりする。
【００２７】
例えば、コンテンツのカテゴリに応じてソフトウェアを分類し、コンテンツの再生や編集をするためのソフトウェアの選択を容易に行うことができる画面インターフェースをユーザに提供するアプリケーションが存在する。当該画面インターフェース上では、まず、ユーザにより写真、映像、音楽等のコンテンツのカテゴリのいずれかが選択される。その後、画面インターフェース上に、選択されたカテゴリに応じたソフトウェアと当該ソフトウェアの説明が表示される。ユーザは、表示されたソフトウェアの説明を読んで吟味することにより、目的に合ったソフトウェアを選択する。そして、情報処理装置は、ユーザにより選択されたソフトウェアを起動させる。
【００２８】
しかし、ＰＣに搭載されるアプリケーションの機能については、ユーザは、電子マニュアルや取扱説明書などの説明を読まなければその特徴を理解することができなかった。特に、ＰＣ内に多数のソフトウェアが存在する場合には、個々のソフトウェアの説明表示を逐一読まなければ目的のソフトウェアを探すことができなかった。そのため、各アプリケーションで実現できる機能をユーザが容易に把握することは困難であった。
【００２９】
そこで、上記のような事情を一着眼点として、本発明の実施形態にかかる情報処理装置１００が創作されるに至った。本実施形態にかかる情報処理装置１００によれば、アプリケーションで実現できる機能をユーザが容易に把握することが可能となる。具体的には、一覧表示されているサムネイルに対応付けられたコンテンツを利用して、任意のアプリケーションにより実現可能な機能を擬似的に再現することが可能となる。すなわち、任意のアプリケーションの実行状態を再現して、ユーザに当該アプリケーションの内容や使用方法について認識させる表示（プロモーション表示）をすることができる。ユーザは、任意のアプリケーションに関するプロモーション表示により、アプリケーション毎にマニュアルや取扱説明書等を読まずとも、当該アプリケーションで実現できる機能やサービスの内容を容易に把握することが可能となる。
【００３０】
本実施形態において、コンテンツのサムネイルを一覧表示可能な情報処理装置１００をＬＣＤ等の表示装置と一体の装置として構成したが、かかる例に限定されない。例えば、情報処理装置を表示装置と別体の装置として構成してもよい。情報処理装置１００としては、例えばＰＣやワークステーションなどの汎用的なコンピュータであってよいがかかる例に限定されない。情報処理装置１００は、例えば、映像／音楽再生器やテレビジョン受像機などの家電機器、又は携帯電話端末やデジタルカメラなどの携帯型機器であってもよい。
【００３１】
〔２〕情報処理装置のハードウェア構成
次に、図１に基づいて、本実施形態にかかる情報処理装置１００のハードウェア構成について説明する。図１は、本実施形態にかかる情報処理装置１００のハードウェア構成を示すブロック図である。
【００３２】
図１に示したように、情報処理装置１００は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、ホストバス１０４と、ブリッジ１０５と、外部バス１０６と、インターフェース１０７と、入力装置１０８と、出力装置１０９と、ストレージ装置（ＨＤＤ）１１０と、ドライブ１１１と、通信装置１１２とを備える。
【００３３】
ＣＰＵ１０１は、演算処理装置および制御装置として機能し、各種プログラムに従って情報処理装置１００内の動作全般を制御する。また、ＣＰＵ１０１は、マイクロプロセッサであってもよい。ＲＯＭ１０２は、ＣＰＵ１０１が使用するプログラムや演算パラメータ等を記憶する。ＲＡＭ１０３は、ＣＰＵ１０１の実行において使用するプログラムや、その実行において適宜変化するパラメータ等を一次記憶する。これらはＣＰＵバスなどから構成されるホストバス１０４により相互に接続されている。
【００３４】
ホストバス１０４は、ブリッジ１０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１０６に接続されている。なお、必ずしもホストバス１０４、ブリッジ１０５および外部バス１０６を分離構成する必要はなく、一のバスにこれらの機能を実装してもよい。
【００３５】
入力装置１０８は、例えば、マウス、キーボード、タッチパネル、ボタン、マイク、スイッチおよびレバーなどユーザが情報を入力するための入力手段と、ユーザによる入力に基づいて入力信号を生成し、ＣＰＵ１０１に出力する入力制御回路などから構成されている。情報処理装置１００のユーザは、該入力装置１０８を操作することにより、情報処理装置１００に対して各種のデータを入力したり処理動作を指示したりすることができる。
【００３６】
出力装置１０９は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｓｐｌａｙ）装置およびランプなどの表示装置と、スピーカおよびヘッドホンなどの音声出力装置で構成される。出力装置１０９は、例えば、再生されたコンテンツを出力する。具体的には、表示装置は再生された映像データ等の各種情報をテキストまたはイメージで表示する。一方、音声出力装置は、再生された音声データ等を音声に変換して出力する。
【００３７】
ストレージ装置１１０は、本実施形態にかかる情報処理装置１００の記憶部の一例として構成されたデータ格納用の装置である。ストレージ装置１１０は、記憶媒体、記憶媒体にデータを記録する記録装置、記憶媒体からデータを読み出す読出し装置および記憶媒体に記録されたデータを削除する削除装置などを含んでもよい。ストレージ装置１１０は、例えば、ＨＤＤ（Ｈａｒｄ  Ｄｉｓｋ  Ｄｒｉｖｅ）で構成される。このストレージ装置１１０は、ハードディスクを駆動し、ＣＰＵ１０１が実行するプログラムや各種データを格納する。また、このストレージ装置１１０には、コンテンツデータ、メタデータ、および装置データなどが記録される。
【００３８】
ドライブ１１１は、記憶媒体用リーダライタであり、情報処理装置１００に内蔵、あるいは外付けされる。ドライブ１１１は、装着されている磁気ディスク、光ディスク、光磁気ディスク、または半導体メモリ等のリムーバブル記憶媒体１２０に記録されている情報を読み出して、ＲＡＭ１０３に出力する。
【００３９】
通信装置１１３は、例えば、通信網１２１に接続するための通信デバイス等で構成された通信インターフェースである。また、通信装置１１３は、無線ＬＡＮ（Ｌｏｃａｌ  Ａｒｅａ  Ｎｅｔｗｏｒｋ）対応通信装置であっても、ワイヤレスＵＳＢ対応通信装置であっても、有線による通信を行うワイヤー通信装置であってもよい。この通信装置１１２は、外部機器との間で、通信網１２１を介して、コンテンツデータ等の各種データを送受信する。
【００４０】
〔３〕情報処理装置の機能構成
以上、図１を参照して本実施形態にかかる情報処理装置１００のハードウェア構成を説明した。次に、図２を参照して、本実施形態にかかる情報処理装置１００の機能を説明する。
【００４１】
図２は、本実施形態にかかる情報処理装置１００の機能構成を示したブロック図である。図２に示したように、本実施形態にかかる情報処理装置１００は、表示制御部１５２と、実行部１５４と、画像生成部１５６と、コンテンツ記憶部１５８と、データ記憶部１６２などを備える。
【００４２】
コンテンツ記憶部１５８は、例えば、ＨＤＤ（Ｈａｒｄ  Ｄｉｓｋ  Ｄｒｉｖｅ）や半導体メモリなどの記憶装置で構成され、写真、音楽又は映像など様々なカテゴリのコンテンツのデータを記憶する。ここで、カテゴリとは、写真、音楽、映像等の各コンテンツの種類を表す。コンテンツ記憶部１５８に記憶されたコンテンツデータは、ファイル単位又は複数ファイルを含むフォルダ単位でメタデータ記憶部（図示せず）に登録されるようにしてもよい。それにより、例えば、メタデータ記憶部において各コンテンツのメタデータを保持し、コンテンツデータを解析してメタデータを生成することが可能となる。
【００４３】
表示制御部１５２は、コンテンツに対応付けられたサムネイルの一覧画面を表示する機能を有する。具体的には、コンテンツ記憶部１５８に記憶されている様々なカテゴリのコンテンツの内容をユーザに概観させるために、各コンテンツに対応付けられたサムネイルの一覧画面を、表示画面１６０を介してユーザに表示する。
【００４４】
例えば、表示装置の画面上に表示される一覧画面の画面サイズに制約がある場合に、コンテンツ記憶部１５８に記憶されている多量のコンテンツの中でユーザにとって有用なコンテンツを優先的に表示させるようにしてもよい。すなわち、ユーザに表示する一覧画面の画面サイズに応じた表示上限数とコンテンツのカテゴリごとの表示比率とに基づいて、カテゴリごとのコンテンツ表示数を決定するようにしてもよい。そして、コンテンツ表示数とコンテンツのメタデータとに応じて、一覧画面にサムネイルを表示すべきコンテンツを選択してもよい。
【００４５】
ここで、図３を参照して、表示制御部１５２により表示画面１６０を介してユーザに表示される一覧画面について説明する。図３は、表示制御部１５２により表示される一覧画面の画面例を説明する説明図である。図３に示したように、一覧画面４０２には、サムネイル表示領域４０３およびテキスト情報表示領域４０７が含まれる。
【００４６】
本実施形態では、サムネイル表示領域４０３は、縦５個×横８個の計４０個のサムネイルを表示可能としているが、かかる例に限定されない。一覧画面４０２に含まれるサムネイルには、例えば、映像コンテンツのサムネイル４０４、写真コンテンツのサムネイル４０５、音楽コンテンツのサムネイル４０６などが含まれる。
【００４７】
テキスト情報表示領域４０７には、ユーザの入力や選択を指示したり誘導したりするメッセージが表示される。例えば、一覧画面４０３からいずれかのコンテンツのサムネイルをクリックするよう指示するメッセージを表示してもよい。また、いずれかのコンテンツのサムネイルにカーソルを置いた場合に、当該コンテンツのカテゴリを表示するようにしてもよい。
【００４８】
図２に戻り、表示制御部１５２の機能についての説明を続ける。表示制御部１５２は、後述する画像生成部１５６により生成されたアプリケーションの実行状態を表す実行状態画像をサムネイルの一覧画面が表示されている領域の少なくとも一部に表示する機能を有する。表示制御部１５２は、実行状態画像を含む表示領域を、一覧画面４０２に定期的に表示してもよいし、一覧画面４０２内の任意の位置にランダムに表示するようにしてもよい。
【００４９】
実行部１５４は、サムネイルに対応付けられたコンテンツを利用する任意のアプリケーションを実行する機能を有する。実行部１５４により実行されるアプリケーションは、一覧画面４０２に表示されたコンテンツのカテゴリに基づく機能を有している。すなわち、コンテンツが写真コンテンツであった場合には、当該アプリケーションは、写真を表示したり、加工したりする機能を有する。また、コンテンツが映像コンテンツであった場合には、当該アプリケーションは、映像を再生したり、編集したりする機能を有する。
【００５０】
また、実行部１５４により実行されるアプリケーションは、コンテンツの内容に応じた機能を有するアプリケーションである。例えば、コンテンツが音楽コンテンツであった場合には、音楽コンテンツのメタデータとして含まれる音楽チャンネルのうち、１つのチャンネルを選択して再生可能なアプリケーションが実行される。音楽チャンネルについては、後で詳細に説明する。
【００５１】
画像生成部１５６は、実行部１５４によるアプリケーションの実行状態を表す実行状態画像を生成する機能を有する。画像生成部１５６は、生成した実行状態画像を表示制御部１５２に提供する。上記したように、表示制御部１５２は、画像生成部１５６に提供された実行状態画像を表示画面１６０のコンテンツの一覧画面の一部に表示する。上記したように、実行状態画像は、アプリケーションの機能を擬似的に再現する画像である。
【００５２】
例えば、実行部１５４により実行されるアプリケーションが、複数の画像コンテンツを、所定のタイミングで切り換えて再生することにより動画像を生成するアプリケーションであったとする。この場合、画像生成部１５６により生成される実行状態画像は、複数の画像コンテンツが所定のタイミングで切り換えられて再生される動画像となる。このように、画像生成部１５６により生成された動画像が表示領域の一部に表示されることにより、ユーザは、複数の画像コンテンツがどのように表示されるのか、どのような加工がなされるのか等を確認することが可能となる。すなわち、表示された動画像により、ユーザは、当該アプリケーションの内容や使用方法を認識させる表示（プロモーション表示）を確認する。
【００５３】
また、例えば、実行部１５４により実行されるアプリケーションが、複数の動画コンテンツを、所定のタイミングで切り換えて再生することにより動画像を生成するアプリケーションであったとする。この場合、画像生成部１５６により生成される実行状態画像は、複数の動画コンテンツが所定のタイミングで切り換えられて再生される動画像となる。また、例えば、実行部１５４により実行されるアプリケーションが複数の画像コンテンツと動画コンテンツを所定のタイミングで切り換えて再生することにより動画像を生成するアプリケーションであったとする。この場合、画像生成部１５６により生成される実行状態画像は、複数の画像コンテンツと動画コンテンツが所定のタイミングで切り換えられて再生される動画像となる。
【００５４】
また、例えば、実行部１５４により実行されるアプリケーションが、音楽コンテンツと画像コンテンツ（動画コンテンツ）を併せて再生することにより曲再生処理を実行するアプリケーションであったとする。この場合、画像生成部１５６により生成される実行状態画像は、曲を再生し、かつ、画像コンテンツ（動画コンテンツ）が再生されることとなる。
【００５５】
このように、画像生成部１５６は、表示画面１６０の表示領域の一部に種々のアプリケーションの実行を再現させることができる。ユーザは、画像生成部１５６により再現された実行状態画像を視認することにより、アプリケーションによって複数の静止画像や動画像がどのように再生されるのかを確認することが可能となる。
【００５６】
また、ＰＣ等に複数のアプリケーションが搭載されている場合には、各アプリケーションに関するプロモーション表示を順次実行することようにしてもよい。上記したように、アプリケーション毎に、複数の静止画像や動画像を用いてどのような動画像を生成するかは異なっている。したがって、ユーザは、表示画面１６０に順次表示される各アプリケーションのプロモーション表示を視認しているだけで、各アプリケーションの内容や使用方法を確認することが可能となる。
【００５７】
また、表示制御部１５２は、コンテンツが対応付けられた複数の画像を表示画面１６０の所定の表示領域に一覧表示し、実行部１５４は、一覧表示された画像に対応付けられたコンテンツを利用する任意のアプリケーションを実行するようにしてもよい。そして、再現部（図示せず）は、実行部１５４によるアプリケーションの実行状態を再現する。上記した表示制御部１５２および画像生成部１５６は、再現部の一例である。再現部は、表示画面１６０の所定の表示領域の少なくとも一部を利用して、アプリケーションの実行状態を再現する。
【００５８】
また、再現部は、一覧表示された画像に対応付けられた画像コンテンツまたは動画コンテンツを利用する動画像再生処理を再現する。再現部は、例えば、複数の画像コンテンツが動画コンテンツを利用して動画像再生処理を再現するようにしてもよい。さらに、再現部は、一覧表示された画像に対応付けられた音楽コンテンツを利用して、曲再生処理を再現するようにしてもよい。
【００５９】
さらに、再現部は、アプリケーションの実行状態を再現するための表示領域に表示されていた画像に対応付けられるコンテンツを利用して、アプリケーションの実行状態を再現するようにしてもよい。また、再現部は、実行部によりアプリケーションを実行させることで、表示画面１６０の所定の表示領域の少なくとも一部を利用してアプリケーションの実行状態を再現するようにしてもよい。
【００６０】
このように、再現部によりアプリケーションの実行状態が再現されて、各アプリケーションのプロモーション表示を実行することが可能となる。すなわち、実際にアプリケーションを実行させずとも、再現部によるアプリケーションの実行状態が再現されて、アプリケーションが実行された場合と同様の動画像等を生成することが可能となる。したがって、ユーザは、各アプリケーションのプロモーション表示を視認するだけで、各アプリケーションの内容や使用方法を確認することが可能となる。
【００６１】
ここで、図４〜７を参照して、一覧画面４０２に表示される実行状態画像について説明する。図４および図５は、画像生成アプリケーションによって生成される実行状態画像について説明する説明図である。ここで例示する画像生成アプリケーションは、例えば、動画や静止画の素材を用いて映画作品のようなショートムービーを容易に作成できる機能を有する。以下では、上記した再現部により、アプリケーションの実行状態が再現される場合について説明する。すなわち、再現部により、一覧表示された画像に対応づけられるコンテンツが利用されてアプリケーションの実行状態を再現するプロモーション画像が生成される。
【００６２】
まず、再現部により画像生成アプリケーションが実行される場合に、当該アプリケーションが利用するコンテンツについて説明する。図４の一覧画面４１０のうち、表示領域４１４を、実行状態画像が表示される表示領域とした場合について説明する。この場合、表示領域４１４に表示されているコンテンツのいずれかを利用してアプリケーションを実行してもよいし、表示領域４１４の周辺に表示されているコンテンツのいずれかを利用してもよい。
【００６３】
例えば、再現部が、表示領域４１４に表示されているコンテンツのいずれかを利用して画像生成アプリケーションを実行する場合について説明する。まず、再現部は、表示領域４１４に写真コンテンツ（ｐｈｏｔｏ１、ｐｈｏｔｏ２）またはユーザにより撮像されたプライベートビデオコンテンツ（ｖｉｄｅｏ）が含まれるか否かを判定する。そして、再現部は、当該写真またはプライベートビデオの撮影日に近い日付の写真またはプライベートビデオをコンテンツ記憶部１５８から任意の件数分を取得する。本実施形態では、例えば、コンテンツ記憶部１５８から１２件分のコンテンツを取得することとしたが、かかる例に限定されない。
【００６４】
コンテンツ記憶部１５８から１２件分のコンテンツを取得した再現部は、当該コンテンツを所定のタイミングで切り換えて再生する。再現部は、後述するテンプレートファイルを用いて、表示画面１６０の表示領域の一部に、当該アプリケーションによって実現する、動画や静止画の素材を用いた映画作品のようなショートムービーの再生を再現させることが可能となる。
【００６５】
再現部がコンテンツ記憶部１５８から取得するコンテンツは、撮影日を基準に取得することとしたが、かかる例に限定されない。例えば、人物の顔が含まれる写真のみ取得してもよいし、人物の笑顔が含まれる画像コンテンツ（写真）や動画コンテンツ（プライベートビデオ）のみ取得するようにしてもよい。また、顔認識機能により、同一人物の顔が含まれる画像コンテンツ（写真）や動画コンテンツ（プライベートビデオ）のみ取得するようにしてもよい。さらには、大人のみ、子供のみが含まれる画像コンテンツ（写真）や動画コンテンツ（プライベートビデオ）を取得するようにしてもよい。
【００６６】
また、ユーザの嗜好を解析したデータをデータ記憶部１６２に記憶しておき、ユーザの嗜好に応じた写真やプライベートビデオのみ取得するようにしてもよい。また、上記したように撮影日を基準として写真コンテンツを取得したが必要枚数の写真コンテンツを取得できなかった場合に、残りの写真コンテンツをユーザの嗜好に応じて取得するようにしてもよい。
【００６７】
上記方法により再現部によりコンテンツが取得され、実行状態画像が生成される。そして、図５に示したように、画像生成アプリケーションの実行状態を表す実行状態画像が表示領域４１５に表示される。すなわち、表示領域４１５には、単に写真コンテンツが表示されるだけではなく、画像生成アプリケーションの機能を擬似的に再現する画像が表示されることとなる。
【００６８】
例えば、再現部により、人物の笑顔が含まれる画像コンテンツのみが取得された場合には、表示領域４１５には、人物の笑顔が含まれる画像コンテンツのみからなる動画像が表示される。また、再現部により、子供のみが含まれる動画コンテンツが取得された場合には、表示領域４１５には、子供の画像のみが含まれる動画コンテンツのみからなる動画像が表示される。
【００６９】
図４の表示領域４１４に写真コンテンツもプライベートビデオも存在しなかった場合には、以下の手順により最大１２枚の写真コンテンツを取得するようにしてもよい。
【００７０】
（１）コンテンツ記憶部１５８に古い写真として保持している写真コンテンツから最新の１２枚を取得する。
（２）上記（１）で古い写真が必要枚数となる１２枚より少ない場合、コンテンツ記憶部１５８に保持しているすべての写真コンテンツから必要件数をランダムに取得する。
（３）上記（２）で写真コンテンツを１枚以上取得できた場合は、取得できた写真コンテンツのみを利用する。
（４）上記３で写真コンテンツを１枚も取得できなかった場合は、写真コンテンツを使った画像は生成せず、画像生成アプリケーションが予め保持しているサンプル画像を表示する。
【００７１】
また、再現部は、再現する画像生成アプリケーションが画像生成のための複数のテンプレートファイルを有している場合には、複数のテンプレートファイルから一つのテンプレートファイルをランダムに選定する。ここで、テンプレートファイルとは、ＢＧＭ（Ｂａｃｋｇｒｏｕｎｄ  Ｍｕｓｉｃ）、２以上の素材枠、１以上のエフェクト（エフェクト枠）、および１以上のトランジション（トランジション枠）が先頭からの再生時刻であるタイムコードに応じて予め定義されたファイルである。
【００７２】
ＢＧＭは、テンプレートファイルのテーマに合わせて設定された、画像を表示（再生）するときに流す楽曲である。素材枠は、画像素材としての画像コンテンツまたは動画コンテンツのファイルを挿入するための箱（入れ物）であり、ＢＧＭのテンポの切り替わり等に合わせて配置されている。素材枠には、画像コンテンツを挿入するのかまたは動画コンテンツを挿入するのかが後述するメタデータとして予め定義されており、画像コンテンツが挿入されることとされている素材枠に対して、ズームをかける、画像の色をセピア色にするなどのエフェクト（効果）が適宜定義されている。動画についても同様にエフェクトが定義されている。
【００７３】
また、テンプレートファイル上に定義された所定の素材枠（の画像）から次の素材枠（の画像）へ切り替えのタイミングに合わせて、フェードイン、フェードアウト、画面左から入って右へ出て行くなどの、切り替え前の素材枠（の画像）から切り替え後の素材枠（の画像）へ切り替えるときの画像の遷移方式が定義されたトランジションが配置されている。エフェクトやトランジションもテンプレートファイルのテーマおよびテイストに応じたものが採用されている。
【００７４】
以上のようなテンプレートファイルの１つを再現部が指定して実行状態画像を生成する。具体的には、再現部は、素材枠に合致する静止画や動画のファイルを、コンテンツ記憶部１５８から検出する。そして、テンプレートファイルの有するテーマに沿った一連の画像であって、ＢＧＭやエフェクト、トランジション等による効果的な演出が付加された動画像の生成を実行する。そして、実行部１５４によるアプリケーションの実行状態を表す、ＢＧＭやエフェクト、トランジション等による効果的な演出が付加された動画像が生成されて、図６の表示領域４１５に表示される。
【００７５】
次に、再現部により音楽再生アプリケーションが実行される場合について説明する。図４の一覧画面４１０のうち、表示領域４１４を、実行状態画像が表示される表示領域とした場合について説明する。この場合、再現部は、表示領域４１４に表示されたコンテンツのいずれかを利用してアプリケーションを実行してもよいし、表示領域４１４の周辺に表示されたコンテンツのいずれかを利用してもよい。
【００７６】
例えば、再現部が、表示領域４１４に表示されたコンテンツのいずれかを利用して音楽再生アプリケーションを実行する場合には、まず、表示領域４１４に音楽コンテンツ（ｍｕｓｉｃ）が含まれるか否かを判定する。そして、再現部は、最初に見つかった音楽コンテンツを基準として、当該音楽コンテンツを１２音解析したメタデータを取得する。
【００７７】
再現部は、取得したメタデータが含まれる音楽チャンネルのうち、１つの音楽チャンネルを選定して該音楽チャンネルの再生を実行する。表示領域４１４に複数の音楽コンテンツが含まれている場合には、該当する音楽チャンネルをランダムに選択するようにしてもよい。
【００７８】
上記した音楽チャンネルは、音楽のジャンルやムードに応じて分類されたチャンネルである。例えば、時間帯別にお勧めの曲を再生するチャンネル、元気が良くて楽しい曲を再生するチャンネル、しっとり、もの悲しい曲を再生するチャンネル、ノリの良い曲を再生するといった「気分」で分類したチャンネルが例示できる。またクラシック調の曲を再生するチャンネル、激しいロックを再生するチャンネル、バラード調の曲を再生するチャンネルといった「楽曲の特徴」で分類したチャンネルなどがある。
【００７９】
また、一覧画面４０２が表示されている時刻に合わせて、当該時刻に合ったムードの音楽チャンネルを選択するようにしてもよい。また、図６に示したように、表示領域４２２には、選択された音楽チャンネルのムードを表現するアニメーション動画等の画像を一定時間表示するようにしてもよい。
【００８０】
また、音楽再生アプリケーションを実行する再現部は、音楽コンテンツ内のサビを検出して、そのサビから一定時間の音楽を再生するようにしてもよい。例えばサビから約１分間音楽を再生する場合に、約１分よりも早く音楽コンテンツの再生が終了してしまう場合には、当該チャンネルに含まれる別の音楽コンテンツのサビから再生するようにしてもよい。
【００８１】
また、再現部は、複数の音楽チャンネルが存在する場合には、図７に示したように、上記したアニメーション動画の最後に、ランダムに選択した９つのチャンネルを表示領域４３２に表示するようにしてもよい。例えば、コンテンツのサムネイルの２×２パネルの枠内に、３×３の格子を生成して、音楽チャンネルの表示を一定数秒間表示して音楽再生アプリケーションの再現を終了する。これにより、音楽再生アプリケーションにより実行される音楽チャンネルの存在をユーザに知らしめることが可能となる。
【００８２】
次に、一覧画面４０２に表示される実行状態画像の出現方法について説明する。例えば、再現部は、一覧画面４０２が表示された後、１４秒経過後に上記した画像生成アプリケーションや音楽再生アプリケーションなどで実行状態画像を表示する表示領域を特定する。再現部は、実行状態画像を表示する表示領域を１箇所だけでなく、ランダムに特定してもよい。再現部は、表示領域をランダムに特定する場合には、実行状態画像を表示する順番を決定する。
【００８３】
そして、再現部は、決定した順番に従って、特定した表示領域に画像生成部１５６により生成された実行状態画像を表示する。そして、所定時間、実行状態画像を表示した後に、再度一覧画面４０２の表示に切り換えるようにしてもよい。実行状態画像は、上記したように、各アプリケーションが有するテンプレートに従って生成されるようにしてもよい。この場合、１つのテンプレートによる実行状態画像の表示が終了した後に、再度一覧画面４０２の表示に切り替えるようにしてもよい。
【００８４】
一覧画面４０２の表示に切り替わった後に、再度、所定の表示領域に実行状態画像を表示するようにしてもよい。以上、情報処理装置１００の機能構成について説明した。上記した画像生成アプリケーションおよび音楽再生アプリケーションの実行においては、実際のアプリケーションを実行することなく、再現部により動画像等の生成が実行される場合について説明した。本実施形態はかかる例に限定されず、実際のアプリケーション（ＡＰＩ（Ａｐｐｌｉｃａｔｉｏｎ  Ｐｒｏｇｒａｍ  Ｉｎｔｅｒｆａｃｅ））を実行させて、上記したプロモーション画像を生成するようにしてもよい。
【００８５】
〔４〕表示制御処理の流れ
次に、図８を参照して、情報処理装置１００における表示制御処理について説明する。図８は、情報処理装置１００における表示制御処理の流れを示したフローチャートである。
【００８６】
図８に示したように、まず、表示制御部１５２は、表示画面１６０を介してコンテンツに対応付けられたサムネイルの一覧画面を表示する（Ｓ１０２）。次に、実行部１５４は、一覧画面４０２における実行状態画像の表示領域を特定する（Ｓ１０４）。
【００８７】
そして、ステップＳ１０４において特定した表示領域のなかから、実行部１５４により実行されるアプリケーションが利用するコンテンツを選択する（Ｓ１０６）。また、選択したコンテンツ以外のコンテンツをコンテンツ記憶部１５８から取得する。
【００８８】
そして、実行部１５４は、ステップＳ１０６において選択したコンテンツを利用して任意のアプリケーションを実行する（Ｓ１０８）。そして、画像生成部１５６は、ステップＳ１０８において実行されたアプリケーションの実行状態を表す実行状態画像を生成する（Ｓ１１０）。
【００８９】
そして、表示制御部１５２は、ステップＳ１１０において生成された実行状態画像を一覧画面４０２が表示されている領域の少なくとも一部に表示する（Ｓ１１２）。以上、情報処理装置１００の表示制御方法について説明した。
【００９０】
本実施形態にかかる情報処理装置１００によれば、表示画面１６０にコンテンツに対応付けられたサムネイルの一覧画面４０２が表示される。実行部１５４は、サムネイルに対応付けられたコンテンツを利用する任意のアプリケーションを実行し、アプリケーションの実行状態を表す実行状態画像が生成される。生成された実行状態画像が、一覧画面４０２が表示されている領域の少なくとも一部に表示される。
【００９１】
これにより、ＰＣ等に搭載されているアプリケーションがコンテンツを利用して実現できる機能を擬似的に再現することが可能となる。したがって、ユーザは、アプリケーション毎にマニュアルや取扱説明書等を読まずとも、アプリケーションで実現できる機能を容易に把握することが可能となる。
【００９２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９３】
例えば、上記実施形態では、実行部１５４により実行されるアプリケーションは、画像生成アプリケーションや音楽再生アプリケーションとしたが、かかる例に限定されない。例えば、動画コンテンツやテレビジョン番組のコンテンツを利用する動画生成アプリケーションでもよい。また、画像コンテンツに任意の文字テロップを付加するアプリケーションなどでもよい。
【図面の簡単な説明】
【００９４】
【図１】本発明の一実施形態にかかる情報処理装置のハードウェア構成を示すブロック図である。
【図２】同実施形態にかかる情報処理装置の機能構成を示したブロック図である。
【図３】同実施形態にかかる表示制御部により表示される一覧画面の画面例を説明する説明図である。
【図４】同実施形態にかかる一覧画面に表示される実行状態画像について説明する説明図である。
【図５】同実施形態にかかる一覧画面に表示される実行状態画像について説明する説明図である。
【図６】同実施形態にかかる一覧画面に表示される実行状態画像について説明する説明図である。
【図７】同実施形態にかかる一覧画面に表示される実行状態画像について説明する説明図である。
【図８】同実施形態にかかる報処理装置における表示制御処理の流れを示したフローチャートである。
【符号の説明】
【００９５】
１００    情報処理装置
１５２    表示制御部
１５４    実行部
１５６    画像生成部
１５８    コンテンツ記憶部
１６０    表示画面
１６２    データ記憶部
【図１】
2010128756.tif 000003
【図２】
2010128756.tif 000004
【図３】
2010128756.tif 000005
【図４】
2010128756.tif 000006
【図５】
2010128756.tif 000007
【図６】
2010128756.tif 000008
【図７】
2010128756.tif 000009
【図８】
2010128756.tif 000010